(57)【要約】【課題】個人の歩行実績や歩行能力を考慮し、目標に対する進捗はどうか、目標達成にどの位の努力が必要かといったコーチング機能を付加し、使用者の歩行実績や歩行能力が改善されれば、新たな目標が再設定され、歩行を停止した日が続くと警告し、パソコンで歩行データの管理をする上でも便利な歩数計を提供する。【解決手段】個人データと歩数目標値を入力するデータ入力手段２、体動を検出する体動センサ３１、体動信号と個人データ及び歩数目標値を入力して歩行データを算出する歩行データ算出手段３、報知手段４を備えた歩数計１において、歩行データ算出手段３は、歩行データから歩行指導メッセージを出力する歩行指導メッセージ出力部３４と歩行指導メッセージを記憶する記憶部３３とを備え、報知手段４はメッセージ表示器４１１を具備する。【選択図】図１
0003164579.tif 000002
【実用新案登録請求の範囲】
【請求項１】
個人データと歩数目標値とを入力するデータ入力手段と、
体動を検出し体動信号を出力する体動センサと、
前記体動信号と前記個人データと前記歩数目標値とを入力して歩行データを算出する歩行データ算出手段と、報知手段と、を備えた歩数計において、前記歩行データ算出手段は、前記歩行データから歩行指導メッセージを出力する歩行指導メッセージ出力部と前記歩行指導メッセージを記憶する記憶部とを備え、前記報知手段は、前記歩行指導メッセージを表示するメッセージ表示器を備えたことを特徴とする歩数計。
【請求項２】
前記歩行指導メッセージ出力部は、前記歩行指導メッセージを出力する歩行指導メッセージ出力回路と、前記記憶部に記憶した複数の前記歩行指導メッセージに基づき前記歩行指導メッセージ出力回路の出力方式を修正する出力方式修正回路と、を備えたことを特徴とする請求項１に記載の歩数計。
【請求項３】
前記歩行データ算出手段は、前記体動信号に基づきアラーム信号を出力するアラーム発生部を備えたことを特徴とする請求項１または２に記載の歩数計。
【請求項４】
前記歩数計は前記歩行データと前記歩行指導メッセージとを外部機器に送信する電磁結合型通信手段を備えたことを特徴とする請求項１から３のいずれか１項に記載の歩数計。
【考案の詳細な説明】
【技術分野】
【０００１】
本考案は歩数を計測する歩数計に係り、特に歩行へのモチベーションを高め歩行の効果を上げ得る歩数計に関する。
【背景技術】
【０００２】
歩行は健康増進と疾病の予防及び回復に効果があるので、多くの人が日常生活の中に取り入れている。しかし歩行の効果を上げるためには、毎日継続しなくてはならない。このため、歩行へのモチベーションを高めることができる工夫をした歩数計がこれまでにいくつか提案されている。
【０００３】
例えば、歩数計で測定された歩数と予め設定した歩幅から歩行距離を算出し、これを累積して延べの歩いた総距離を表示するようにした技術が下記の特許文献１に開示されている。
【０００４】
特許文献１に開示された従来技術は、日々の歩数から歩行距離を算出して、歩数計に例えば東海道の地図情報を記憶しておき、毎日の歩行によって現在どの地点に至ったかを表示してモチベーションを高め、歩行への励みとするものである。
【０００５】
図５を用いて特許文献１に開示された従来技術の概略を説明する。
図５は特許文献１に開示された歩数計の表示例を示すもので、歩数計のディスプレイ６０には、歩数計に記憶した地図情報と、出発地点と終了地点が表示され、歩数と歩幅から算出した歩行距離から、現在地図上のどの地点にいるかを光る点で表示するようにしたものである。
【先行技術文献】
【特許文献】
【０００６】
【特許文献１】特開２００１−２９６１３９号公報
【考案の概要】
【考案が解決しようとする課題】
【０００７】
特許文献１の開示技術においては、毎日の歩行の結果は実際の地名を使って表示され使用者の興味をある程度高めることができるので、歩いた結果をより面白く把握したいという願望に応えているが、表示内容は歩行距離を地図上の点に画一的に表現するのみで、使用者固有の歩行実績や歩行能力を考慮した的確なアドバイスや、目標達成にどの程度の努力が必要かなど、歩行の効果を上げるためのコーチング機能が欠如している。
【０００８】
また特許文献１の開示技術においては、使用者の歩行実績や歩行能力が改善されても新たな目標が設定されることもなく、さらに毎日の歩数を保存するにはメモをとる等の手間が必要である。
【０００９】
本考案の目的は上記した従来技術の問題点を解決し、個人の歩行実績や歩行能力を考慮し、目標に対する進捗はどうか、目標達成にどの位の努力が必要かといったコーチング機能を付加し、使用者の歩行実績や歩行能力が改善されれば、新たな目標が再設定され、歩かない日が続くと警告し、パソコンで歩行データの管理をする上でも便利な歩数計を提供することにある。
【課題を解決するための手段】
【００１０】
上記課題を解決するため本考案の構成を詳述すれば、請求項１に係る考案は、個人データと歩数目標値とを入力するデータ入力手段と、体動を検出し体動信号を出力する体動センサと、前記体動信号と前記個人データと前記歩数目標値とを入力して歩行データを算出する歩行データ算出手段と、報知手段と、を備えた歩数計において、前記歩行データ算出手段は、前記歩行データから歩行指導メッセージを出力する歩行指導メッセージ出力部と前記歩行指導メッセージを記憶する記憶部とを備え、前記報知手段は、前記歩行指導メッセージを表示するメッセージ表示器を備えたことを特徴とする歩数計である。
【００１１】
この構成によって、歩行の効果の向上に必要な歩行指導メッセージが使用者に報知されるので、モチベーションを高めることができると共に、歩行運動による効果が向上する。
【００１２】
請求項２に係る考案は、前記歩行指導メッセージ出力部は、前記歩行指導メッセージを出力する歩行指導メッセージ出力回路と、前記記憶部に記憶した複数の前記歩行指導メッセージに基づき前記歩行指導メッセージ出力回路の出力方式を修正する出力方式修正回路とを備えたことを特徴とする請求項１に記載の歩数計である。
【００１３】
この構成によって、使用者の歩行実績や歩行能力が改善されれば、歩行指導メッセージ出力回路の出力方式が修正され、新たな歩行指導メッセージが報知されるので歩行運動による効果が向上する。
【００１４】
また、請求項３に係る考案は、前記歩行データ算出手段は、前記体動信号に基づきアラーム信号を出力するアラーム発生部を備えたことを特徴とする請求項１または２に記載の歩数計である。
【００１５】
この構成により、一定時間に亘って使用者が歩行を停止すると警報音でこれを知らせるので、歩行実績が身に付き歩行による効果が一層向上する。
【００１６】
さらに、請求項４に係る考案は、前記歩数計は前記歩行データと前記歩行指導メッセージとを外部機器に送信する電磁結合型通信手段を備えたことを特徴とする請求項１から３のいずれか１項に記載の歩数計である。
【００１７】
この構成によって、パソコンで歩行データの管理を行うことが容易になる。
【考案の効果】
【００１８】
以上のように、本考案に係る歩数計によれば、個人の歩行実績や歩行能力を考慮したコーチング機能によって、使用者のモチベーションを高め、使用者の歩行実績や歩行能力が改善されたことを確認して新たな目標を再設定することができると共に、歩かない日が続くと積極的にそれに気付かせることができ、さらに、パソコンの記憶領域に歩行データを入力する上でも、利便性の高い歩数計を提供することができる。
【図面の簡単な説明】
【００１９】
【図１】本考案に係る歩数計の構成を示すブロック図である。
【図２】本考案に係る歩数計の表示を説明する図表である。
【図３】本考案に係る歩数計の構成を示す回路ブロック図である。
【図４】本考案に係る歩数計の外観図である。
【図５】従来の歩数計の表示例を示す外観図である。
【考案を実施するための形態】
【００２０】
本考案に係る歩数計は、歩行の目標値に対する達成度から使用者の歩行実績や歩行能力を判別し的確なメッセージを与えて使用者の歩行へのモチベーションを高め、歩行の効果を上げるようにしたものである。
【００２１】
先ず、図１及び図２を用いて歩数計の構成を説明すれば、図中１は歩数計の全体を示し、当該歩数計１は、データ入力手段２と体動センサ３１と歩行データ算出手段３と報知手段４と電磁結合型通信手段５と電池６とから構成される。
【００２２】
前記データ入力手段２は個人データＫｄと歩数目標値Ｈｍを入力する。個人データＫｄとは、年令と性別及び身長と体重である。また、歩数目標値Ｈｍとは目標とする１日の歩数である。
【００２３】
体動センサ３１は使用者の体動を検出し体動信号Ｔｓを出力する。
歩行データ算出手段３は、歩数算出部３２と記憶部３３と歩行指導メッセージ出力部３４とから構成される。さらに歩行指導メッセージ出力部３４は歩行指導メッセージ出力回路３４１と出力方式修正回路３４２とから構成される。
【００２４】
歩数算出部３２は体動信号Ｔｓと個人データＫｄと歩数目標値Ｈｍとを入力して歩行データを出力し、これを報知手段４の表示部４１と電磁結合型通信手段５に入力する。
【００２５】
歩数算出部３２は特に図示していないが記憶エリアを有しており、複数の歩行データＨｒを記憶できるので、歩数算出部３２は必要に応じて１日または１週間または１ヶ月間の複数の歩行データＨｒを出力することができる。
【００２６】
なお、歩行データＨｒとは、歩行を行なった結果である実績歩数Ｗｈ、歩行速度Ｈｓ、消費カロリＫａ、歩数改善データＨｋであり、歩数改善データＨｋとは歩数目標値Ｈｍと実績歩数Ｗｈとの差である。
【００２７】
歩行指導メッセージ出力部３４の歩行指導メッセージ出力回路３４１は、前記歩数算出部３２から入力される１日または１週間または１ヶ月間の、歩数目標値Ｈｍに対する実績歩数Ｗｈの達成度を、目標達成度Ｍｔとして算出し、さらに目標達成度Ｍｔの平均値と標準偏差に基づき歩行指導メッセージＳｍを出力し、記憶部３３と報知手段４と電磁結合型通信手段５に入力する。
【００２８】
さらに詳細には、目標達成度Ｍｔの平均値は目標達成度平均値Ｍｔｍとして、目標達成度Ｍｔの標準偏差は達成度標準偏差値Ｍｔσとして算出し、各々の値に応じて９種類のランクに分類し、分類されたランクに応じた歩行指導メッセージＳｍ１〜Ｓｍ９を出力する。
【００２９】
図２を用いてさらに詳細に説明すれば、図２（ａ）は歩行指導メッセージ出力回路３４１が出力する歩行指導メッセージＳｍ１〜Ｓｍ９を説明する図表で、目標達成度平均値Ｍｔｍを９５％以上と、７１％〜９４％と、７０％以下の３段階に分けると共に、達成度標準偏差値Ｍｔσを５％以下と、６％〜１０％と、１１％以上の３ランクに３段階に分け、それぞれの組み合わせに応じた９種類のランクに分類し、各ランクに対応する９種類の歩行指導メッセージＳｍ１〜Ｓｍ９を示している。
【００３０】
また、図２（ｂ）は前記図２（ａ）に示す歩行指導メッセージＳｍ１〜Ｓｍ９の具体的内容を示し、図１に示すメッセージ表示器４１１にて表示する。
【００３１】
図２（ｂ）に示すように歩行指導メッセージＳｍ１から歩行指導メッセージＳｍ９まで、次第にメッセージ内容が厳しくなり、使用者のモチベーションを高めるようにしてある。
【００３２】
図１において、記憶部３３は、歩行指導メッセージ出力回路３４１により入力された歩行指導メッセージＳｍを記憶し、記憶した複数の歩行指導メッセージＳｍｎを歩行指導メッセージ出力部３４の出力方式修正回路３４２に入力する。
【００３３】
出力方式修正回路３４２は、前記記憶部３３から出力される複数の歩行指導メッセージＳｍｎに基づき、歩行指導メッセージ出力回路３４１の出力方式の変更を指示する３種類の修正データＣａ３，Ｃａ２，Ｃａ１を出力する。
【００３４】
出力方式修正回路３４２が出力する修正データＣａは、歩数計１に電源電池６を投入して動作を開始した時点では、初期修正データＣａ３である。
【００３５】
初期修正データＣａ３は、複数の歩行指導メッセージＳｍｎの中で歩行指導メッセージＳｍ１が３個以上存在した場合は歩行指導メッセージＳｍ１を”抜群成績！”から”目標を上げよう”に変更するように歩行指導メッセージ出力回路３４１に指示する。
【００３６】
同様に、出力方式修正回路３４２は、複数の歩行指導メッセージＳｍｎの中で歩行指導メッセージＳｍ１が２個存在する場合は、歩行指導メッセージＳｍ１が２回連続した場合に限り修正データＣａ２を出力する。
【００３７】
修正データＣａ２は、歩行指導メッセージＳｍ１を”抜群成績！”から”目標を上げよう”に変更するように歩行指導メッセージ出力回路３４１に指示する。
【００３８】
同様に、出力方式修正回路３４２は、複数の歩行指導メッセージＳｍｎの値が１個以下の場合は、修正データＣａ１を出力する。
【００３９】
修正データＣａ１は、歩行指導メッセージＳｍ１が１回でも出力されれば歩行指導メッセージＳｍ１を”抜群成績！”から”目標を上げよう”に変更するように歩行指導メッセージ出力回路３４１に指示する。
【００４０】
なお、使用者は必要があれば、電池を入れ直すことによって出力方式修正回路３４２の出力を初期修正データＣａ３に戻すことができる。
【００４１】
以上のように、出力方式修正回路３４２が修正データＣａをＣａ３，Ｃａ２、Ｃａ１と変更するのは、使用者への歩行のコーチングを変化させ、使用者の歩行へのモチベーションを高めるためである。
そして、使用者の歩行能力が向上すると、歩数計１はこれを学習し、目標値を高めるための歩行指導メッセージＳｍを報知する機能がコーチング機能である。
【００４２】
アラーム発生部３５は体動信号Ｔｓを入力してこれを監視し、例えば２４時間体動信号Ｔｓが発生しないとアラーム信号Ａｓを出力し、報知手段４の報音部４２に入力する。
【００４３】
報知手段４は表示部４１と報音部４２から構成され、表示部４１はメッセージ表示器４１１とデータ表示器４１２から構成される。
【００４４】
表示部４１のデータ表示器４１２は、歩行データ算出手段３の歩数算出部３２から入力される歩行データＨｒ、すなわち実績歩数Ｗｈ、歩行速度Ｈｓ、消費カロリＫａ、歩数改善データＨｋの、何れかまたは複数の項目を表示する。
【００４５】
表示部４１のメッセージ表示器４１１は、歩行指導メッセージ出力部３４の歩行指導メッセージ出力回路３４１から入力される歩行指導メッセージＳｍを表示する。
【００４６】
報音部４２は、歩行指導メッセージ出力部３４の歩行指導メッセージ出力回路３４１から入力される歩行指導メッセージＳｍを音声で報知し、歩行データ算出手段３のアラーム発生部３５からアラーム信号Ａｓが入力されると大きなブザー音を発生する。
【００４７】
電磁結合型通信手段５は、通信チップ５１とアンテナコイル５２とから構成され、約１３メガヘルツの交流磁界を媒体としてパソコンなどの外部機器とデータの送受信を行う。なお、電磁結合型通信手段５については非接触カード近距離通信方式として、一般に知られた技術なので説明は省略する。
【００４８】
次に、図１、図２及び図４を用いて本考案に係る歩数計１の動作を説明する。
図１において、使用者はデータ入力手段２の設定スイッチ２１を用いて、年令と性別及び身長と体重からなる個人データＫｄと歩数目標値Ｈｍとを設定する。
歩数目標値Ｈｍは歩数の目標値であり、特に図示していないが”１００００歩”の様に入力する。
【００４９】
使用者は歩数計１を、適宜の装着具を用いて、例えば腰に取付けて歩行を開始する。使用者が歩行を始めると、図１に示す様に、体動センサ３１は体動信号Ｔｓを出力し、歩数算出部３２は体動信号Ｔｓを入力し、歩数を計測する。
【００５０】
図１に示すように、使用者が歩行を終わると、歩数算出部３２はあらかじめ設定されている歩数目標値Ｈｍと、計測した歩数及び個人データＫｄとから、歩行データＨｒ、すなわち実績歩数Ｗｈと歩行速度Ｈｓと消費カロリＫａと、歩数改善データＨｋとを出力し、これを歩行指導メッセージ出力回路３４１と表示部４１と電磁結合型通信手段５に入力する。なお歩行速度Ｈｓは、身長から換算した歩幅と実績歩数Ｗｈから算出する。
【００５１】
図１において、歩数目標値Ｈｍ＝１００００歩と、既に入力してあり、この日に歩行を行った結果として実績歩数Ｗｈ＝７０００歩であったとすると、歩数改善データＨｋ＝３０００歩と算出され、図４に示す様に、表示部４１のデータ表示器４１２にあと”３０００歩”のように表示される。
【００５２】
使用者は、既に１週間、毎日歩行を行っており、図１に示す歩数算出部３２の内部の記憶エリアに記憶されている歩行データＨｒの中の実績歩数Ｗｈに基づき、例として目的達成度平均値Ｍｔｍ＝９８％、達成度標準偏差値Ｍｔσ＝８％、と算出され、図２（ａ）に基づき、歩行指導メッセージＳｍ３が出力される。
【００５３】
図２（ｂ）に示すように歩行指導メッセージＳｍ３は”毎日ムラなく歩こう！”なので、図４に示すように、表示部４１のメッセージ表示器４１１に、このメッセージが表示され、使用者に対し、歩行能力を向上させるコーチング機能を果たす。
【００５４】
使用者が、さらに毎日あるいは毎週、歩数目標値Ｈｍを達成すると、出力方式修正回路３４２の修正データＣａが順次修正され、歩行指導メッセージが”目標を上げよう”に変わって表示部４１のメッセージ表示器４１１に表示される。
【００５５】
使用者は歩数計１を外部機器に近づけて電磁結合型通信手段５によって歩行指導メッセージＳｍ及び歩行データＨｒとをパソコン３０などの外部機器に送信する。
【００５６】
また、使用者が２４時間歩行を行わないと、報音部４２から大きなブザー音で警告が発生するので、使用者は２４時間歩行を行わなかったことに気付く。
【００５７】
次に、図３に基づき、図１を併用して本考案に係る歩数計１の回路構成を説明する。
図３において、歩数計１は体動センサ３１、マイクロプロセッサ１０、設定スイッチ２１、記憶部３３、表示部４１、報音部４２、電磁結合型通信手段５及び電池６とから構成される。
【００５８】
体動センサ３１は圧電素子や接点式振動センサやＭＥＭＳ（Ｍｉｃｒｏ  Ｅｌｅｃｔｒｏ  Ｍｅｃｈａｎｉｃａｌ  Ｓｙｓｔｅｍｓ）型加速度センサを用いることができ、体動信号Ｔｓを検出してマイクロプロセッサ１０に入力する。
【００５９】
設定スイッチ２１は、個人データＫｄや歩数目標値Ｈｍを設定するスイッチで構成されている。
【００６０】
マイクロプロセッサ１０は、歩数計１の全体の動作を制御すると共に、体動信号Ｔｓと個人データＫｄと歩数目標値Ｈｍとから歩行指導メッセージＳｍと歩行データＨｒを出力する。
なおマイクロプロセッサ１０は、図１に示す歩行データ算出手段３の歩数算出部３２と歩行指導メッセージ出力部３４の各機能をソフトウエアモジュールの形態で具備している。
【００６１】
記憶部３３はＥＥＰＲＯＭのような不揮発性記憶素子で構成され、個人データＫｄ、歩数目標値Ｈｍ、歩行データＨｒ、歩行指導メッセージＳｍ、及び図示していないがカレンダー情報などを記憶する。
【００６２】
電磁結合型通信手段５は、通信チップ５１とアンテナコイル５２とからなり、約１３メガヘルツの交流磁界を媒体にして歩行データＨｒと歩行指導メッセージＳｍなどのデータ類をパソコンなどの外部機器と送受信する。
なお電磁結合型通信手段５は、例えばパソコン用端末機器として知られているブルートゥース送受信器や、微弱電力型無線通信器などを用いることも可能である。
【００６３】
報知手段４の表示部４１は例えば液晶表示器などを用いることができる。データ表示器４１２は数字類をセグメントで表示し、メッセージ表示器４１１は文章や絵をドットマトリックスで表示する。
【００６４】
報音部４２はダイナミックスピーカやピエゾ音響素子などを用い、ブザー音や音声を出力する。また、電源１３は歩数計１を駆動するための薄型のボタン電池が好適に用いられる。
【００６５】
図４は、本考案に係る歩数計１の一実施形態を示す外観図であり、歩数計１は手のひらに載る程度のサイズで、外周面に表示部４１、報音部４２及び４個の設定スイッチ２１を備えている。
【００６６】
図４に示すように表示部４１のメッセージ表示器４１１に”毎日ムラ無く歩こう！”と表示し使用者にコーチングし、表示部４１のデータ表示器４１２には歩行データＨｒの中の歩数改善データＨｋを”あと３０００歩”のように表示する。データ表示器４１２には、他に実績歩数Ｗｈや歩行速度Ｈｓを表示することも可能である。
【００６７】
以上のように、本考案によれば、個人の歩行実績や歩行能力を考慮し、目標に対する進捗や目標達成にどの位の努力が必要か等のコーチング機能を奏し、使用者の歩行実績や歩行能力が改善されれば、新たな目標が再設定され、歩かない日が続くと積極的にそれに気付かせることができ、しかもパソコンに歩行データを入力する上でも利便性の高い歩数計を提供することができるものである。
【符号の説明】
【００６８】
１    ：歩数計
２    ：データ入力手段
２１  ：設定スイッチ
３    ：歩行データ算出手段
３１  ：体動センサ
３２  ：歩数算出部
３３  ：記憶部
３４  ：歩行指導メッセージ出力部
３４１：歩行指導メッセージ出力回路
３４２：出力方式修正回路
３５  ：アラーム発生部
４    ：報知手段
４１  ：表示部
４１１：メッセージ表示器
４１２：データ表示器
４２  ：報音部
５    ：電磁結合型通信手段
５１  ：通信チップ
５２  ：アンテナコイル
６    ：電池
１０  ：マイクロプロセッサ
６０  ：ディスプレイ
Ｈｍ  ：歩数目標値
Ｋｄ  ：個人データ
Ｔｓ  ：体動信号
Ｈｒ  ：歩行データ
Ｗｈ  ：実績歩数
Ｈｓ  ：歩行速度
Ｋａ  ：消費カロリ
Ｈｋ  ：歩数改善データ
Ｍｔ  ：目標達成度
Ｍｔｍ：目的達成度平均値
Ｍｔσ：達成度標準偏差値
σ    ：標準偏差値
Ｓｍ，Ｓｍｎ，Ｓｍ１〜Ｓｍ９：歩行指導メッセージ
Ｃａ，Ｃａ２，Ｃａ１：修正データ
Ｃａ３：初期修正データ
Ａｓ  ：アラーム信号
【図１】
0003164579.tif 000003
【図２】
0003164579.tif 000004
【図３】
0003164579.tif 000005
【図４】
0003164579.tif 000006
【図５】
0003164579.tif 000007